(57)【要約】【課題】伝送特性を向上することが可能な光伝送装置及びその制御方法を提供する。【解決手段】ノード１０は、光波長多重通信を行う複数のサブキャリア信号を波長グループ信号に合波する合波部１１と、合波された波長グループ信号を光伝送路へ出力する出力部１２と、出力部１２における波長グループ信号の光レベルに基づいて、合波前のサブキャリア信号のレベル偏差を補正する合波前レベル補正部１３と、出力部１２における波長グループ信号の光レベルに基づいて、合波後の波長グループ信号のレベル偏差を補正する合波後レベル補正部１４と、を備えるものである。【選択図】図７
2020178376.tif 000002
【特許請求の範囲】
【請求項１】
第１のサブキャリア光信号を出力する第１の光信号送信部と、
第２のサブキャリア光信号を出力する第２の光信号送信部と、
前記第１のサブキャリア光信号と前記第２のサブキャリア光信号とを合波して第１の波長グループ光信号として出力する第１の合波部と、
前記第１の波長グループ光信号と、前記第１及び第２のサブキャリア光信号とは波長が異なる光信号を含む第２の波長グループ光信号とを合波して出力する第２の合波部と、
前記第１のサブキャリア光信号と前記第２のサブキャリア光信号とのパワー差が小さくなるように調整する第１の光パワー調整部と、
第１の波長グループ光信号と前記第２の波長グループ光信号とのパワー差を調整する第２の光パワー調整部と、を備える
光伝送装置。
【請求項２】
前記第２の波長グループ光信号は、第３のサブキャリア光信号と第４のサブキャリア光信号とを含む
請求項１に記載の光伝送装置。
【請求項３】
前記第３のサブキャリア光信号を出力する第３の光信号送信部と、
前記第４のサブキャリア光信号を出力する第４の光信号送信部と、
前記第３のサブキャリア光信号と前記第４のサブキャリア光信号とを合波して前記第２の波長グループ光信号として出力する第３の合波部と、を備える
請求項２に記載の光伝送装置。
【請求項４】
前記第２の波長グループ光信号は、他の光伝送装置から前記第２の合波部に入力される
請求項１乃至２のいずれか一項に記載の光伝送装置。
【請求項５】
前記第１の光パワー調整部は、
前記第１のサブキャリア光信号のパワーを調整する第１の光減衰部と、
前記第２のサブキャリア光信号のパワーを調整する第２の光減衰部と、を含み、
前記第２の光パワー調整部は、前記第１の波長グループ光信号のパワーを調整する第３の光減衰部と、を含む
請求項１乃至４のいずれか一項に記載の光伝送装置。
【請求項６】
前記第１の合波部は、前記第１の光減衰部によりパワーが調整された前記第１のサブキャリア光信号と、前記第２の光減衰部によりパワーが調整された前記第２のサブキャリア光信号とを合波して出力する
請求項５に記載の光伝送装置。
【請求項７】
前記第１の光パワー調整部は、サブキャリア光信号のパワーレベル目標値に基づき、前記第１のサブキャリア光信号と前記第２のサブキャリア光信号とのパワー差を調整する、
請求項１乃至６のいずれか一項に記載の光伝送装置。
【請求項８】
前記第２の光パワー調整部は、波長グループ光信号のパワーレベル目標値に基づき、前記第１の波長グループ光信号と前記第２の波長グループ光信号とのパワー差を調整する、
請求項１乃至７のいずれか一項に記載の光伝送装置。
【請求項９】
前記第１のサブキャリア光信号のパワーと前記第２のサブキャリア光信号のパワーとをモニタする光パワーモニタ部をさらに備え、
前記第１の光パワー調整部は、前記光パワーモニタ部のモニタ結果に基づき、前記第１のサブキャリア光信号と前記第２のサブキャリア光信号とのパワー差を調整する、
請求項１乃至８のいずれか一項に記載の光伝送装置。
【請求項１０】
前記光パワーモニタ部は、前記第１の波長グループ光信号及び前記第２の波長グループ光信号が合波された合波光に基づいて、前記第１のサブキャリア光信号のパワーと前記第２のサブキャリア光信号のパワーとをモニタする、
請求項９に記載の光伝送装置。
【請求項１１】
前記光パワーモニタ部は、さらに前記第１の波長グループ光信号のパワーと前記第２の波長グループ光信号のパワーとをモニタし、
前記第２の光パワー調整部は、前記光パワーモニタ部のモニタ結果に基づき、前記第１の波長グループ光信号と前記第２の波長グループ光信号とのパワー差を調整する、
請求項９又は１０に記載の光伝送装置。
【請求項１２】
前記光パワーモニタ部は、前記第１の波長グループ光信号及び前記第２の波長グループ光信号が合波された合波光に基づいて、前記第１の波長グループ光信号のパワーと前記第２の波長グループ光信号のパワーとをモニタする、
請求項１１に記載の光伝送装置。
【請求項１３】
前記第１の波長グループ光信号の出力先を切り替える光スイッチをさらに備える、
請求項１乃至１２のいずれか一項に記載の光伝送装置。
【請求項１４】
前記第１のサブキャリア光信号と前記第２のサブキャリア光信号とのいずれかの障害を検出する障害監視部をさらに備える、
請求項１乃至１３のいずれか一項に記載の光伝送装置。
【請求項１５】
前記第２の光パワー調整部は、前記第１の波長グループ光信号と前記第２の波長グループ光信号とのパワー差を小さくするように調整する請求項１乃至１４のいずれか一項に記載の光伝送装置。
【請求項１６】
光伝送装置と、
前記光伝送装置を制御する制御装置と、を備え、
前記光伝送装置は、
第１のサブキャリア光信号を出力する第１の光信号送信部と、
第２のサブキャリア光信号を出力する第２の光信号送信部と、
前記第１のサブキャリア光信号と前記第２のサブキャリア光信号とを合波して第１の波長グループ光信号として出力する第１の合波部と、
前記第１の波長グループ光信号と、前記第１及び第２のサブキャリア光信号とは波長が異なる光信号を含む第２の波長グループ光信号とを合波して出力する第２の合波部と、
前記第１のサブキャリア光信号と前記第２のサブキャリア光信号とのパワー差が小さくなるように調整する第１の光パワー調整部と、
第１の波長グループ光信号と前記第２の波長グループ光信号とのパワー差と、を調整する第２の光パワー調整部と、を備える
光伝送システム。
【請求項１７】
前記第２の波長グループ光信号は、第３のサブキャリア光信号と第４のサブキャリア光信号とを含む
請求項１６に記載の光伝送システム。
【請求項１８】
前記第３のサブキャリア光信号を出力する第３の光信号送信部と、
前記第４のサブキャリア光信号を出力する第４の光信号送信部と、
前記第３のサブキャリア光信号と前記第４のサブキャリア光信号とを合波して前記第２の波長グループ光信号として出力する第３の合波部と、を備える
請求項１７に記載の光伝送システム。
【請求項１９】
前記第２の波長グループ光信号は、前記光伝送装置とは異なる光伝送装置から前記第２の合波部に入力される
請求項１６乃至１８のいずれか一項に記載の光伝送システム。
【請求項２０】
前記第１の光パワー調整部は、
前記第１のサブキャリア光信号のパワーを調整する第１の光減衰部と、
前記第２のサブキャリア光信号のパワーを調整する第２の光減衰部と、を含み、
前記第２の光パワー調整部は、前記第１の波長グループ光信号のパワーを調整する第３の光減衰部と、を含む
請求項１６乃至１９のいずれか一項に記載の光伝送システム。
【請求項２１】
前記第１の合波部は、前記第１の光減衰部によりパワーが調整された前記第１のサブキャリア光信号と、前記第２の光減衰部によりパワーが調整された前記第２のサブキャリア光信号とを合波して出力する
請求項２０に記載の光伝送システム。
【請求項２２】
前記第１の光パワー調整部は、サブキャリア光信号のパワーレベル目標値に基づき、前記第１のサブキャリア光信号と前記第２のサブキャリア光信号とのパワー差を調整する、
請求項１６乃至２１のいずれか一項に記載の光伝送システム。
【請求項２３】
前記第２の光パワー調整部は、波長グループ光信号のパワーレベル目標値に基づき、前記第１の波長グループ光信号と前記第２の波長グループ光信号とのパワー差を調整する、
請求項１６乃至２２のいずれか一項に記載の光伝送システム。
【請求項２４】
前記第１のサブキャリア光信号のパワーと前記第２のサブキャリア光信号のパワーとをモニタする光パワーモニタ部をさらに備え、
前記第１の光パワー調整部は、前記光パワーモニタ部のモニタ結果に基づき、前記第１のサブキャリア光信号と前記第２のサブキャリア光信号とのパワー差を調整する、
請求項１６乃至２３のいずれか一項に記載の光伝送システム。
【請求項２５】
前記光パワーモニタ部は、前記第１の波長グループ光信号及び前記第２の波長グループ光信号が合波された合波光に基づいて、前記第１のサブキャリア光信号のパワーと前記第２のサブキャリア光信号のパワーとをモニタする、
請求項２４に記載の光伝送システム。
【請求項２６】
前記光パワーモニタ部は、さらに前記第１の波長グループ光信号のパワーと前記第２の波長グループ光信号のパワーとをモニタし、
前記第２の光パワー調整部は、前記光パワーモニタ部のモニタ結果に基づき、前記第１の波長グループ光信号と前記第２の波長グループ光信号とのパワー差を調整する、
請求項２４又は２５に記載の光伝送システム。
【請求項２７】
前記光パワーモニタ部は、前記第１の波長グループ光信号及び前記第２の波長グループ光信号が合波された合波光に基づいて、前記第１の波長グループ光信号のパワーと前記第２の波長グループ光信号のパワーとをモニタする、
請求項２６に記載の光伝送システム。
【請求項２８】
前記第１の波長グループ光信号の出力先を切り替える光スイッチをさらに備える、
請求項１６乃至２７のいずれか一項に記載の光伝送システム。
【請求項２９】
前記第１のサブキャリア光信号と前記第２のサブキャリア光信号とのいずれかの障害を検出する障害監視部をさらに備える、
請求項１６乃至２８のいずれか一項に記載の光伝送システム。
【請求項３０】
前記第２の光パワー調整部は、前記第１の波長グループ光信号と前記第２の波長グループ光信号とのパワー差を小さくするように調整する請求項１６乃至２９のいずれか一項に記載の光伝送システム。
【請求項３１】
第１のサブキャリア光信号を出力し、
第２のサブキャリア光信号を出力し、
前記第１のサブキャリア光信号と前記第２のサブキャリア光信号とを合波して第１の波長グループ光信号として出力し、
前記第１の波長グループ光信号と、前記第１及び第２のサブキャリア光信号とは波長が異なる光信号を含む第２の波長グループ光信号とを合波して出力し、
前記第１の波長グループ光信号と前記第２の波長グループ光信号とが合波された合波光に基づいて、前記第１のサブキャリア光信号のパワーと前記第２のサブキャリア光信号のパワーとをモニタし
前記第１のサブキャリア光信号と前記第２のサブキャリア光信号とのパワー差が小さくなるように調整し、前記第１の波長グループ光信号と前記第２の波長グループ光信号とのパワー差と、を調整する
光通信方法。
【請求項３２】
前記第１の波長グループ光信号と前記第２の波長グループ光信号とが合波された合波光に基づいて、前記第１の波長グループ光信号のパワーと前記第２の波長グループ光信号のパワーとをモニタする
請求項３１に記載の光通信方法。
【請求項３３】
前記第２の波長グループ光信号は、第３のサブキャリア光信号と第４のサブキャリア光信号とを含む
請求項３１又は３２に記載の光通信方法。
【請求項３４】
前記第３のサブキャリア光信号を出力し、
前記第４のサブキャリア光信号を出力し、
前記第３のサブキャリア光信号と前記第４のサブキャリア光信号とを合波して前記第２の波長グループ光信号として出力する
請求項３３に記載の光通信方法。
【請求項３５】
前記第２の波長グループ光信号は、他の光伝送装置から入力される
請求項３１乃至３４のいずれか一項に記載の光通信方法。
【請求項３６】
前記第１のサブキャリア光信号のパワーを調整し、
前記第２のサブキャリア光信号のパワーを調整し、
前記第１の波長グループ光信号のパワーを調整する
請求項３１乃至３５のいずれか一項に記載の光通信方法。
【請求項３７】
前記パワーが調整された第１のサブキャリア光信号と、前記パワーが調整された第２のサブキャリア光信号とを合波して出力する
請求項３６に記載の光通信方法。
【請求項３８】
ブキャリア光信号のパワーレベル目標値に基づき、前記第１のサブキャリア光信号と前記第２のサブキャリア光信号とのパワー差を調整する、
請求項３１乃至３７のいずれか一項に記載の光通信方法。
【請求項３９】
波長グループ光信号のパワーレベル目標値に基づき、前記第１の波長グループ光信号と前記第２の波長グループ光信号とのパワー差を調整する、
請求項３１乃至３８のいずれか一項に記載の光通信方法。
【請求項４０】
前記第１のサブキャリア光信号のパワーと前記第２のサブキャリア光信号のパワーとをモニタしてモニタ結果を出力し、
前記モニタ結果に基づき、前記第１のサブキャリア光信号と前記第２のサブキャリア光信号とのパワー差を調整する、
請求項３１乃至３９のいずれか一項に記載の光通信方法。
【請求項４１】
前記第１の波長グループ光信号のパワーと前記第２の波長グループ光信号のパワーとをモニタし、
前記モニタ結果に基づき、前記第１の波長グループ光信号と前記第２の波長グループ光信号とのパワー差を調整する、
請求項４０に記載の光通信方法。
【請求項４２】
前記第１の波長グループ光信号の出力先を切り替える
請求項３１乃至４１のいずれか一項に記載の光通信方法。
【請求項４３】
前記第１のサブキャリア光信号と前記第２のサブキャリア光信号とのいずれかの障害を検出する
請求項３１乃至４２のいずれか一項に記載の光通信方法。
【請求項４４】
前記第１の波長グループ光信号と前記第２の波長グループ光信号とのパワー差を小さくするように調整する請求項３１乃至４３のいずれか一項に記載の光通信方法。
【発明の詳細な説明】
【技術分野】
【０００１】
本発明は、光伝送装置及びその制御方法に関し、特に、光レベルを補正する光伝送装置及びその制御方法に関する。
【背景技術】
【０００２】
インターネットや映像配信等の広帯域マルチメディア通信サービスの需要増加に伴い、幹線系やメトロ系では長距離かつ大容量の光ファイバ通信システムの導入が進んでいる。こうした光ファイバを使用した光伝送システムでは、光ファイバ１本当たりの伝送効率を高めることが重要である。このため、複数の異なる波長の光信号を多重化して伝送する、波長分割多重（ＷＤＭ：Wavelength Division Multiplex）通信が広く用いられている。
【０００３】
ＷＤＭ通信の伝送容量を効率的に拡大するための関連する技術として、複数のサブキャリアを狭い周波数間隔で配置しグループ化したスーパーチャネル（Super-CH：ＳＣＨ）伝送が知られている。例えば、特許文献１には、光伝送システムのシステム情報に基づいて、ＳＣＨの伝送品質の劣化を改善する技術が開示されている。
【先行技術文献】
【特許文献】
【０００４】
【特許文献１】特開２０１３−１０６３２８号公報
【発明の概要】
【発明が解決しようとする課題】
【０００５】
上記のＳＣＨ伝送を利用することで、数百Ｇｂｐｓの光伝送を実現することが可能となる。しかしながら、関連する技術のようなＳＣＨ伝送では、サブキャリア間やサブキャリアを含むグループ間で光レベル偏差が発生するため、伝送特性が劣化するという問題がある。
【０００６】
本発明は、このような課題に鑑み、伝送特性を向上することが可能な光伝送装置及びその制御方法を提供することを目的とする。
【課題を解決するための手段】
【０００７】
本発明に係る光伝送装置は、光波長多重通信を行う複数のサブキャリア信号を波長グループ信号に合波する合波部と、前記合波された波長グループ信号を光伝送路へ出力する出力部と、前記出力部における前記波長グループ信号の光レベルに基づいて、前記合波前のサブキャリア信号のレベル偏差を補正する合波前レベル補正部と、前記出力部における前記波長グループ信号の光レベルに基づいて、前記補正されたサブキャリア信号を含む前記合波後の波長グループ信号のレベル偏差を補正する合波後レベル補正部と、を備えるものである。
【０００８】
本発明に係る光伝送装置の制御方法は、光波長多重通信を行う複数のサブキャリア信号を波長グループ信号に合波する合波部と、前記合波された波長グループ信号を光伝送路へ出力する出力部と、を備えた光伝送装置の制御方法であって、前記出力部における前記波長グループ信号の光レベルに基づいて、前記合波前のサブキャリア信号のレベル偏差を補正し、前記出力部における前記波長グループ信号の光レベルに基づいて、前記補正されたサブキャリア信号を含む前記合波後の波長グループ信号のレベル偏差を補正するものである。
【発明の効果】
【０００９】
本発明によれば、伝送特性を向上することが可能な光伝送装置及びその制御方法を提供することができる。
【図面の簡単な説明】
【００１０】
【図１】基本例に係るノードの概略構成を示す構成図である。
【図２】基本例に係るＳＣＨの波長帯域例を示すグラフである。
【図３】基本例に係るＳＣＨのレベル偏差の例を示すグラフである。
【図４】基本例に係るＳＣＨのレベル偏差の例を示すグラフである。
【図５】基本例に係るＳＣＨのレベル偏差の補正結果を説明するためのグラフである。
【図６】基本例に係るＳＣＨのレベル偏差の補正結果を説明するためのグラフである。
【図７】実施の形態に係るノードの概要を説明するための構成図である。
【図８】実施の形態１に係るノードの概略構成を示す構成図である。
【図９】実施の形態１に係るレベル補正動作を説明するための図である。
【図１０】実施の形態１に係るレベル補正動作を説明するための図である。
【図１１】実施の形態２に係る光伝送システムの構成例を示す構成図である。
【図１２】実施の形態２に係るノードの構成例を示す構成図である。
【図１３】実施の形態２に係るノードの他の構成例を示す構成図である。
【図１４Ａ】実施の形態２に係るレベル補正動作例を示すフローチャートである。
【図１４Ｂ】実施の形態２に係るレベル補正動作例を示すフローチャートである。
【図１４Ｃ】実施の形態２に係るレベル補正動作例を示すフローチャートである。
【図１５】実施の形態２に係るレベル補正動作の状態遷移例を示す状態遷移図である。
【発明を実施するための形態】
【００１１】
（基本例）
まず、実施の形態の基本となる基本例について説明する。
【００１２】
図１は、基本例に係るノード（光伝送装置）の概略構成を示している。図１に示すように、基本例に係るノード９００は、サブキャリア信号の合波前の構成としてトランスポンダＴＰＮＤ、合波器ＡＧを備え、サブキャリア信号の合波後の構成として光クロスコネクトＸＦ、光増幅器ＣＡを備えている。なお、本明細書において、「合波」とは、同一波長グループ内におけるサブキャリアの合波を意味する。
【００１３】
複数のトランスポンダＴＰＮＤ（ＴＰＮＤ＿１〜ＴＰＮＤ＿３）は、異なる波長のサブキャリア信号Ｓ１を出力し、合波器ＡＧは、サブキャリア信号Ｓ１を合波して波長グループ信号Ｓ２を生成する。光クロスコネクトＸＦは、波長グループ信号Ｓ２をスイッチングしてＳＣＨ信号（波長グループ信号Ｓ２を含む）Ｓ３を生成する波長選択スイッチＷＳＳを含む。光増幅器ＣＡは、スイッチング後のＳＣＨ信号Ｓ３を増幅しＳＣＨ信号Ｓ０を伝送路へ出力する。
【００１４】
図２は、基本例で用いるＳＣＨ信号の波長帯域を示すグラフである。図２に示すように、ＳＣＨ伝送では、複数のサブキャリア信号Ｓ１を狭い周波数間隔で配置し１つの波長グループ信号Ｓ２にグループ化する。波長グループ信号Ｓ２は、複数のサブキャリア信号Ｓ１の集合であり（複数のサブキャリア信号Ｓ１により構成され）、同一波長グループの信号Ｓ２は同一のエレメント（ノード等）でＡＤＤ／ＤＲＯＰされる。図２の例では、１つの波長グループ信号Ｓ２に、４つのサブキャリア信号Ｓ１＿１〜Ｓ１＿４が含まれているが、任意の数のサブキャリア信号を含んでいてもよい。ＳＣＨ信号は、２つの波長グループ信号Ｓ２＿１〜Ｓ２＿２に限らず、任意の数の波長グループ信号を含んでいてもよい。
【００１５】
図３及び図４は、基本例におけるＳＣＨ信号で生じるレベル偏差を示している。ＳＣＨ伝送では、複数のサブキャリア信号Ｓ１が波長グループ信号Ｓ２を構成し、複数の波長グループ信号Ｓ２がＳＣＨ信号Ｓ０を構成するため、それぞれの信号を構成する単位でレベル偏差が発生する。
【００１６】
第１のレベル偏差として、図３に示すように、ＳＣＨ伝送における波長グループ間でレベル偏差が発生する。波長グループ間のレベル偏差は、合波後の各波長グループの通過パスの違いによる通過損失の相違に起因して発生する。すなわち、ノードの光クロスコネクトＸＦには、他のノードを含む複数の経路から複数の波長グループ信号が入力され、これらの波長グループ信号は、それぞれ伝送される経路が異なるため、通過パスに応じて光レベルのばらつき（偏差）が生じる。
【００１７】
第２のレベル偏差として、図４に示すように、ＳＣＨ伝送における波長グループ内のサブキャリア間でレベル偏差が発生する。サブキャリア間のレベル偏差は、合波前の各サブキャリア間の通過損失の相違に起因して発生する。すなわち、ノードの合波器ＡＧには、複数のサブキャリア信号が入力され、これらのサブキャリア信号は、それぞれ異なるトランスポンダやファイバ等を介しているため、トランスポンダやファイバ等の損失に応じて光レベルのばらつきが生じる。例えば、トランスポンダＴＰＮＤの出力偏差、トランスポンダＴＰＮＤと合波器ＡＧ間の接続損失偏差、合波器ＡＧ内部の損失偏差がある。
【００１８】
その他に、サブキャリア間のレベル偏差は、合波後の波長依存性に起因しても発生する。すなわち、光クロスコネクトＸＦには、他のノードから波長グループ信号が入力され、ノード間の光ファイバケーブルには波長依存性（ＳＲＳチルト）がある。この波長依存性によって、サブキャリアの伝送特性が影響を受けるため、サブキャリアの光レベルにばらつきが生じる。また、光クロスコネクトＸＦ（波長選択スイッチＷＳＳ）、光増幅器ＣＡの波長グループ帯域内の不均一性による損失偏差もある。
【００１９】
ここで、これらのレベル偏差のうち、合波前の波長損失相違による偏差ついて、合波後のレベル補正（ＬＥＱ）で補正した場合、通過波形の劣化につながる恐れがある。図５及び図６は、単純に合波後の波長グループ信号に対しレベル偏差補正を行った場合の補正前後のスペクトル変化を示している。
【００２０】
図５は、サブキャリア間の偏差が合波前に発生している状態のスペクトルを示している。この例では、サブキャリア信号Ｓ１＿１とサブキャリア信号Ｓ１＿２の光レベルの差が３ｄＢとなっている。
【００２１】
図６は、図５の信号を合波した後にレベル補正した場合のスペクトルを示している。図６に示すように、例えば、レベル偏差を補正するため、光クロスコネクトＸＦ内の波長選択スイッチＷＳＳの可変光減衰器に対し、サブキャリア信号Ｓ１＿１を３ｄＢ減衰し（Ｓ２より３ｄＢ下げる）、サブキャリア信号Ｓ１＿２を０ｄＢ減衰する（Ｓ１より３ｄＢ上げる）よう設定する。そうすると、サブキャリア（Ｓｌｉｃｅ）間の可変光減衰器のＡＴＴ設定に波形なまりが発生する。この波形なまりの波長付近では、サブキャリア信号Ｓ１＿１の波形の持ち上がりが発生するため、信号特性（伝送特性）が劣化する。
【００２２】
（実施の形態の概要）
上記のように、ＳＣＨ伝送では、２つのレベル偏差が発生するため、レベル補正には、波長グループ間のレベル偏差の補正と、波長グループ内のサブキャリアのレベル偏差の補正が必要となる。そこで、実施の形態では、ＳＣＨ伝送にて問題となる、波長グループおよびサブキャリア間の光レベル偏差を補正する手段を提供し、良好な伝送特性を実現する。
【００２３】
図７は、実施の形態に係るノード（光伝送装置）１０の概要を示している。図７に示すように、実施の形態に係るノード１０は、合波部１１、出力部１２、合波前レベル補正部１３、合波後レベル補正部１４を備えている。
【００２４】
合波部１１は、光波長多重通信を行う複数のサブキャリア信号を波長グループ信号に合波する。出力部１２は、合波部１１により合波された波長グループ信号を光伝送路へ出力する。合波前レベル補正部１３は、出力部１２における波長グループ信号の光レベルに基づいて、合波部１１による合波前のサブキャリア信号のレベル偏差を補正する。合波後レベル補正部１４は、出力部１２における波長グループ信号の光レベルに基づいて、合波前レベル補正部１３により補正されたサブキャリア信号を含む合波後の波長グループ信号のレベル偏差を補正する。
【００２５】
図７のように、実施の形態では、合波前に発生したサブキャリア間のレベル偏差は合波前に補正し、合波後に発生した波長グループ間のレベル偏差（波長グループに含まれるサブキャリア間のレベル偏差含む）は合波後に補正することで、確実にレベル偏差の発生を抑えることができ、伝送特性の向上が可能となる。
【００２６】
（実施の形態１）
以下、図面を参照して実施の形態１について説明する。本実施の形態では、図１の基本例に図７の構成を適用した例について説明する。
【００２７】
図８は、本実施の形態に係るノードの概略構成を示している。図８に示すように、本実施の形態に係るノード１００は、上記の基本例と同様に、複数のトランスポンダＴＰＮＤ（ＴＰＮＤ＿１〜ＴＰＮＤ＿３）、合波器ＡＧ、光クロスコネクトＸＦ、光増幅器ＣＡを備え、さらに、光チャネルモニタＯＣＭ、合波前レベル補正部１３、合波後レベル補正部１４を備えている。合波前レベル補正部１３と合波後レベル補正部１４は、一つの制御部であってもよいし、光増幅器ＣＡ等に含まれていてもよい。
【００２８】
トランスポンダＴＰＮＤ＿１〜ＴＰＮＤ＿３は、ＳＣＨ伝送（光波長多重通信）を行う複数のサブキャリア信号Ｓ１を生成し、生成した複数のサブキャリア信号Ｓ１を合波器ＡＧへ出力する光送信部である。例えば、各トランスポンダＴＰＮＤは、光源となるレーザＴＸ、レーザＴＸからの光信号の光レベルを制御する可変光減衰器ＶＯＡ１を備えている。
【００２９】
合波器ＡＧは、トランスポンダＴＰＮＤ＿１〜ＴＰＮＤ＿３からのサブキャリア信号Ｓ１を合波して波長グループ信号Ｓ２を生成し、生成した波長グループ信号Ｓ２を光クロスコネクトＸＦへ出力する合波部である。例えば、合波器ＡＧは、各サブキャリア信号Ｓ１の光レベルを制御する可変光減衰器ＶＯＡ２を備えている。
【００３０】
光クロスコネクトＸＦは、波長選択スイッチＷＳＳを備えており、この波長選択スイッチＷＳＳによって、合波器ＡＧから出力された波長グループ信号Ｓ２（他のノードから入力された波長グループ信号含む）の出力先を切り替えてＳＣＨ信号（波長グループ信号Ｓ２を含む）Ｓ３を生成し、生成したＳＣＨ信号を光増幅器ＣＡへ出力する光スイッチ部である。例えば、光クロスコネクトＸＦ内の波長選択スイッチＷＳＳは、波長グループ信号の各サブキャリア信号の光レベルを制御する可変光減衰器ＶＯＡ３を備えている。
【００３１】
光増幅器ＣＡは、光クロスコネクトＸＦからのＳＣＨ信号Ｓ３（波長グループ信号含む）を増幅してＳＣＨ信号Ｓ０を生成し、生成したＳＣＨ信号Ｓ０を光伝送路へ出力する出力部である。光チャネルモニタＯＣＭは、一例として光増幅器ＣＡ内に配置され、光増幅器ＣＡの出力するＳＣＨ信号Ｓ０における波長グループ信号内の各サブキャリア信号の光レベルをモニタする光モニタ部である。
【００３２】
合波前レベル補正部１３は、合波前のレベル補正として、光チャネルモニタＯＣＭによる光レベルのモニタ結果に基づいて、トランスポンダＴＰＮＤ＿１〜ＴＰＮＤ＿３または合波器ＡＧにおけるサブキャリア信号のレベル偏差を補正する。合波後レベル補正部１４は、合波後のレベル補正として、光チャネルモニタＯＣＭによる光レベルのモニタ結果に基づいて、光クロスコネクトＸＦにおける波長グループ信号のレベル偏差を補正する。
【００３３】
図９及び図１０は、本実施の形態に係るノードの動作概要であり、それぞれ合波前のレベル補正方法と合波後のレベル補正方法を示している。
【００３４】
図９に示すように、合波前のレベル補正方法では、伝送路への出力部（光増幅器ＣＡ）に配置された光チャネルモニタＯＣＭのモニタ値（ＰＭ値）から波長グループ内の各サブキャリアのノード出力（光レベル）を、該当する波長グループのトランスポンダＴＰＮＤまたは合波器ＡＧに戻し、トランスポンダＴＰＮＤまたは合波器ＡＧの出力調整機能を用いて各サブキャリアを所望のレベルに調整する（出力キャリブレーション機能：動的ＬＥＱである必要はない）。
【００３５】
このとき、光クロスコネクトＸＦ（波長選択スイッチ）内部の可変光減衰器ＶＯＡへのフィードバック制御は停止し（初期値設定のままとする）、また、光チャネルモニタＯＣＭの各サブキャリアのモニタ値が均一（目標レベル）になるよう、トランスポンダＴＰＮＤまたは合波器ＡＧ内の可変光減衰器ＶＯＡ（もしくは光アンプでもよい）の出力を調整する。
【００３６】
図１０に示すように、合波後のレベル補正方法では、伝送路への出力部（光増幅器ＣＡ）に配置された光チャネルモニタＯＣＭのモニタ値（ＰＭ値）から波長グループ内の各サブキャリアのノード出力を光クロスコネクトＸＦに戻し、光クロスコネクトＸＦ内の波長選択スイッチＷＳＳの出力調整機能を用いて該当する波長グループの各サブキャリアを所望のレベルに調整する。
【００３７】
このとき、トランスポンダＴＰＮＤ内部の可変光減衰器ＶＯＡへのフィードバック制御は停止し（上記合波前のレベル補正で設定した値とする）、光チャネルモニタＯＣＭの各サブキャリアのモニタ値が均一になるよう、光クロスコネクトＸＦ（波長選択スイッチＷＳＳ）の可変光減衰器ＶＯＡの出力を調整する。
【００３８】
このように、本実施の形態では、ノードの出力部で波長グループ信号（サブキャリア信号）の光レベルをモニタし、出力部のモニタ結果に基づいて、合波前のサブキャリア信号のレベル補正（例えばトランスポンダまたは合波器のレベル補正）を行い、さらに、合波後の波長グループ信号（サブキャリア信号）のレベル補正（例えば光クロスコネクトＸＦのレベル補正）を行うことで、波長グループ間のレベル偏差補正と、波長グループ内のサブキャリア間のレベル偏差補正を行うことができるため、伝送特性を向上することができる。
【００３９】
（実施の形態２）
以下、図面を参照して実施の形態２について説明する。本実施の形態では、ノードを含む光伝送システムの具体例について説明する。
【００４０】
図１１は、本実施の形態に係る光伝送システムの構成例を示している。図１１に示すように、本実施の形態に係る光伝送システム１は、複数のノード（光伝送装置）１００（１００＿１〜１００＿３）、ネットワーク監視装置（ＮＭＳ：Network Management System）２００を備えている。光伝送システム１は、３つのノード１００＿１〜１００＿３に限らず、任意の数のノードを備えていてもよい。
【００４１】
ノード１００＿１〜１００＿３は、それぞれ光ファイバ等の光伝送路ＯＬによって接続され、光伝送路ＯＬを介してＳＣＨ伝送が可能である。ノード１００＿１〜１００＿３は、ＷＤＭ（ＳＣＨ）ネットワーク２を構成し、一例として、ＷＤＭネットワーク２はリニアネットワークであるが、リングネットワークやメッシュネットワークなどその他のトポロジのネットワークであってもよい。例えば、ノード１００＿１は、光パスの送信端となる送信機であり、ノード１００＿２は、光パスを中継する中継機であり、ノード１００＿３は、光パスの受信端となる受信機である。
【００４２】
各ノード１００は、基本的に同じ構成であり、光伝送路ＯＬを介してＳＣＨ伝送を行う光伝送部１０１、ネットワーク監視装置２００からの制御に基づいて光伝送部１０１の設定などの制御を行うノード制御部１０２を備えている。なお、ノード制御部１０２は、光伝送部１０１の内部（もしくは光伝送部１０１と同じブロック）に設けられてもよい。
【００４３】
ノード制御部１０２は、例えば、光伝送部１０１に対し初期設定を行う初期設定部１０２ａ、波長グループ信号（サブキャリア信号）のレベルを補正するレベル補正部１０２ｂ、光信号の障害などを検出し、ネットワーク監視装置２００へ警報を出力する警報部１０２ｃを備えている。
【００４４】
ネットワーク監視装置２００は、ノード１００＿１〜１００＿３の動作を監視（制御）する監視装置（制御装置）である。ネットワーク監視装置２００は、ＬＡＮなどの管理ネットワーク３を介してノード１００＿１〜１００＿３と接続されており、管理ネットワークを介してノード１００＿１〜１００＿３の設定や通信状態などを管理する。例えば、ネットワーク監視装置２００は、波長グループを指定するグループ指定部２０１、各ノード１００の接続情報を管理する接続情報管理部２０２、各ノード１００を介した通信パスを設定するパス設定部２０３を備えている。
【００４５】
図１２は、本実施の形態に係るノード（光伝送部）の構成例を示している。図１２は、例えば、中継機となるノード１００＿２の光伝送部１０１の構成例である。図１２に示すように、本実施の形態に係る光伝送部１０１は、トランスポンダ１１１〜１１４、合波器１２１及び１２２、光クロスコネクト１３０、光入力部１４１、光出力部１４２を備えている。例えば、トランスポンダ１１１〜１１４、合波器１２１及び１２２、光クロスコネクト１３０、光入力部１４１、光出力部１４２は、それぞれ独立したパッケージで構成され、複数のパッケージによって光伝送部１０１（ノード）が構成されている。なお、サブキャリアや波長グループ、方路等に応じて、任意の数のトランスポンダ、合波器、光クロスコネクト、光入力部、光出力部を備えていてもよい。
【００４６】
トランスポンダ１１１〜１１４は、それぞれクライアント装置（不図示）に接続されており、クライアント装置から入力される信号をＳＣＨ伝送用のサブキャリア信号Ｓ１＿１〜Ｓ１＿４に変換し、サブキャリア信号Ｓ１＿１〜Ｓ１＿４を出力する。トランスポンダ１１１〜１１４は、それぞれ光源となるレーザＴＸ、レーザＴＸからの光信号の光レベルを制御する可変光減衰器ＶＯＡ１を備えている。
【００４７】
合波器１２１及び１２２は、トランスポンダ１１１〜１１４から出力されたサブキャリア信号Ｓ１を合波する。合波器１２１及び１２２は、各サブキャリア信号の光レベルを制御する可変光減衰器ＶＯＡ２を備えている。合波器１２１は、それぞれ光ファイバＦ１及びＦ２を介して、トランスポンダ１１１及び１１２と接続されており、トランスポンダ１１１及び１１２からのサブキャリア信号Ｓ１＿１及びＳ１＿２を合波して波長グループ信号Ｓ２＿１を生成し、波長グループ信号Ｓ２＿１を出力する。合波器１２２は、それぞれ光ファイバＦ３及びＦ４を介して、トランスポンダ１１３及び１１４と接続されており、トランスポンダ１１３及び１１４からのサブキャリア信号Ｓ１＿３及びＳ１＿４を合波して波長グループ信号Ｓ２＿２を生成し、波長グループ信号Ｓ２＿２を出力する。
【００４８】
光クロスコネクト１３０は、波長選択スイッチ１３１を備えている。なお、光クロスコネクト１３０は、方路などに応じて複数の波長選択スイッチ１３１を備えてもよい。
【００４９】
波長選択スイッチ１３１は、合波器１２１及び１２２、光入力部１４１から入力される光信号の出力先を波長にしたがってスイッチング（アド・ドロップ含む）する。波長選択スイッチ１３１は、波長グループ信号内の各サブキャリア信号の光レベルを制御する可変光減衰器ＶＯＡ３を備えている。光クロスコネクト１３０（波長選択スイッチ１３１）は、それぞれ光ファイバＦ５及びＦ６を介して合波器１２１及び１２２と接続され、それぞれ光ファイバＦ７及びＦ８を介して光入力部１４１及び光出力部１４２と接続されている。波長選択スイッチ１３１は、合波器１２１からの波長グループ信号Ｓ２＿１、合波器１２２からの波長グループ信号Ｓ２＿２、光入力部１４１からのＳＣＨ信号Ｓ４（波長グループ信号含む）を波長にしたがってスイッチングしＳＣＨ信号Ｓ３を生成する。波長グループ信号Ｓ２＿１及びＳ２＿２、ＳＣＨ信号Ｓ４の波長グループ信号が光出力部１４２へ出力されるようにスイッチング設定されている場合、それらの信号を含むＳＣＨ信号Ｓ３を光出力部１４２へ出力する。
【００５０】
光入力部１４１は、送信端（もしくは中継機）の他のノードと光伝送路ＯＬを介して接続され、光伝送路ＯＬを介してＳＣＨ信号Ｓ０が入力される。例えば、光入力部１４１は、光アンプＡＭＰ１を備えている。光アンプＡＭＰ１は、他のノードからのＳＣＨ信号Ｓ０（波長グループ信号含む）を増幅し、光クロスコネクト１３０へ出力する。
【００５１】
光出力部１４２は、受信端（もしくは中継機）の他のノードと光伝送路ＯＬを介して接続され、光伝送路ＯＬを介してＳＣＨ信号Ｓ０を出力する。例えば、光出力部１４２は、光アンプＡＭＰ２、光チャネルモニタＯＣＭを備えている。光アンプＡＭＰ１は、光クロスコネクト１３０からのＳＣＨ信号Ｓ３を増幅し、増幅したＳＣＨ信号Ｓ０を他のノードへ出力する。光チャネルモニタＯＣＭは、増幅されたＳＣＨ信号Ｓ０の波長グループ内の各サブキャリア信号の光レベルをモニタし、モニタ結果をノード制御部１０２へ出力する。なお、ノード制御部１０２（もしくはその一部）を、光出力部１４２や他のブロック（パッケージ）に内蔵してもよい。
【００５２】
図１２の例では、光出力部１４２におけるＳＣＨ信号Ｓ０の波長グループ内の各サブキャリア信号の光レベルに基づいて、合波前（トランスポンダ１１１〜１１４、合波器１２１及び１２２）におけるサブキャリア信号のレベル偏差を補正し、合波後（光クロスコネクト１３０）におけるサブキャリア信号（波長グループ信号）のレベル偏差を補正する。
【００５３】
図１３は、本実施の形態に係るノード（光伝送部）の他の構成例を示している。図１３の例では、光伝送部１０１は、トランスポンダＴＰＮＤ１〜７、合波器（合分波器）ＡＧ１〜３、光クロスコネクトＸＦ１〜ＸＦ２、光増幅器ＣＡ１〜ＣＡ２を備えている。光増幅器ＣＡ１〜ＣＡ２は、図１２の光入力部１４１及び光出力部１４２の機能を含んでいる。
【００５４】
合波器ＡＧ１は、トランスポンダＴＰＮＤ１〜３からのサブキャリア信号を合波して光クロスコネクトＸＦ１またはＸＦ２へ出力し、光クロスコネクトＸＦ１またはＸＦ２からの波長グループ信号を分波する。合波器ＡＧ２は、トランスポンダＴＰＮＤ４〜５からのサブキャリア信号を合波して光クロスコネクトＸＦ１へ出力し、光クロスコネクトＸＦ１からの波長グループ信号を分波する。合波器ＡＧ３は、トランスポンダＴＰＮＤ６〜７からのサブキャリア信号を合波して光クロスコネクトＸＦ２へ出力し、光クロスコネクトＸＦ２からの波長グループ信号を分波する。
【００５５】
光クロスコネクトＸＦ１は、合波器ＡＧ１及びＡＧ２、光増幅器ＣＡ１、光クロスコネクトＸＦ２（及び他の光クロスコネクトＸＦ）からの波長グループ信号（ＳＣＨ信号）をスイッチングしていずれかの方路へ出力する。光クロスコネクトＸＦ２は、合波器ＡＧ１及びＡＧ３、光増幅器ＣＡ２、光クロスコネクトＸＦ１（及び光クロスコネクトＸＦ）からの波長グループ信号（ＳＣＨ信号）をスイッチングしていずれかの方路へ出力する。
【００５６】
図１３に示すように、この例では、波長ｆ１の波長グループ信号は、光増幅器ＣＡ１−光クロスコネクトＸＦ１−光クロスコネクトＸＦ２−光増幅器ＣＡ２を介した方路で伝送される。波長ｆ２の波長グループ信号は、光増幅器ＣＡ１−光クロスコネクトＸＦ１−合波器ＡＧ２を介した方路で伝送される。波長ｆ３の波長グループ信号は、合波器ＡＧ２−光クロスコネクトＸＦ１−光増幅器ＣＡ１を介した方路で伝送される。波長ｆ４の波長グループ信号は、合波器ＡＧ１−光クロスコネクトＸＦ２−光増幅器ＣＡ２を介した方路で伝送される。波長ｆ５の波長グループ信号は、光増幅器ＣＡ２−光クロスコネクトＸＦ２−合波器ＡＧ１を介した方路で伝送される。
【００５７】
これらの波長グループ信号のうち、光増幅器ＣＡ１及びＣＡ２から光伝送路へ出力される信号が、本実施の形態の適用対象となる。
【００５８】
光増幅器ＣＡ１からは波長ｆ３の波長グループ信号が出力されるため、光増幅器ＣＡ１の光チャネルモニタＯＣＭは波長ｆ３の波長グループ信号内の各サブキャリア信号の光レベルをモニタする。このモニタ結果に基づいて、合波前（トランスポンダＴＰＮＤ４〜ＴＰＮＤ５、合波器ＡＧ２）におけるサブキャリア信号のレベル偏差を補正し、合波後（光クロスコネクトＸＦ１）におけるサブキャリア信号（波長グループ信号）のレベル偏差を補正する。
【００５９】
光増幅器ＣＡ２からは波長ｆ１及びｆ４の波長グループ信号が出力されるため、光増幅器ＣＡ２の光チャネルモニタＯＣＭは波長ｆ１及びｆ４の波長グループ信号内の各サブキャリア信号の光レベルをモニタする。波長ｆ４のモニタ結果に基づいて、合波前（トランスポンダＴＰＮＤ１〜ＴＰＮＤ３、合波器ＡＧ１）におけるサブキャリア信号のレベル偏差を補正し、合波後（光クロスコネクトＸＦ２）におけるサブキャリア信号（波長グループ信号）のレベル偏差を補正する。波長ｆ５の波長グループ信号は、ノード（光伝送部１０１）内では合波されないため、波長ｆ５のモニタ結果に基づいて、合波後（光クロスコネクトＸＦ１及びＸＦ２）におけるサブキャリア信号（波長グループ信号）のレベル偏差を補正する。
【００６０】
図１４Ａ〜図１４Ｃは、本実施の形態に係るレベル補正方法を示している。ここでは、一例として図１２のノードの構成例を参照しつつ説明する。
【００６１】
図１４Ａ〜図１４Ｃに示すように、まず、ノード１００では、トランスポンダを設置し（Ｓ１０１）、トランスポンダと合波器（合分波器）の間を光ファイバで接続する（Ｓ１０２）。例えば、ノード１００のユーザは、図１２のように、トランスポンダ１１１及び１１２と合波器１２１を光ファイバＦ１及びＦ２により接続し、トランスポンダ１１３及び１１４と合波器１２２を光ファイバＦ３及びＦ４により接続する。
【００６２】
一方、ネットワーク監視装置２００は、波長グルーピング（Ｓ１０３）を行う。例えば、ネットワーク監視装置２００のグループ指定部２０１は、ユーザからの指示に従ってサブキャリアを波長グループにグルーピングし、ＳＣＨ伝送で使用する波長グループ及びサブキャリアの構成を設定する。
【００６３】
続いて、ネットワーク監視装置２００は、ファイバ接続情報登録する（もしくは接続を検出する)（Ｓ１０４）。例えば、ネットワーク監視装置２００の接続情報管理部２０２は、パスの設定を可能にするため、ユーザの指示にしたがって各ノード１００間の接続関係を示す接続情報を登録する。または、接続情報管理部２０２は、各ノード１００から収集した情報をもとに接続情報を生成してもよい。
【００６４】
続いて、ネットワーク監視装置２００は、ノード１００へパスを設定する（Ｓ１０５）。例えば、ネットワーク監視装置２００のパス設定部２０３は、ユーザの指示にしたがって、ＳＣＨ伝送を行うためのノード１００間のパス（例えば図１３の方路）を設定する。
【００６５】
続いて、ノード１００は、登録情報とファイバ接続情報、パス設定情報から被接続パッケージの種別を検出する（Ｓ１０６）。例えば、ノード制御部１０２の初期設定部１０２ａは、ネットワーク監視装置２００からのファイバ接続情報（接続情報はノード自身が検出しても良い）及びパス設定情報、ノード１００の持つ各パッケージの登録情報から、各パッケージ（トランスポンダ、合波器、光クロスコネクト、光入力部、光出力部等）の各ポートに接続されたファイバの接続先（被接続パッケージ）を検出する。
【００６６】
続いて、ノード１００は、光クロスコネクト１３０のスイッチ設定を行い、トランスポンダ１１１〜１１４を発光させる（Ｓ１０７）。例えば、ノード制御部１０２の初期設定部１０２ａは、登録情報とファイバ接続情報、パス設定情報から、波長選択スイッチ１３１の波長スイッチング（波長に応じた入出力関係）を設定する。
【００６７】
続いて、ノード１００は、Ｓ１０６における検出結果に基づき、自パッケージのキャリア当たりの光出力が所望の値になるよう、光クロスコネクト１３０および（もしくは）トランスポンダ１１１〜１１４内の可変光減衰器ＶＯＡを初期設定する（Ｓ１０８）。例えば、ノード制御部１０２の初期設定部１０２ａは、検出した接続先のパッケージにおける光出力のレベルが所望の値となるよう、該パッケージ内部の可変光減衰器ＶＯＡ（サブキャリア単位）を初期設定する。すなわち、光出力部１４２から出力されるＳＣＨ信号Ｓ０の光レベルを所望の値にするため、トランスポンダ１１１〜１１４の可変光減衰器ＶＯＡ１、合波器１２１の可変光減衰器ＶＯＡ２、光クロスコネクト１３０の可変光減衰器ＶＯＡ３の減衰量を初期設定する。
【００６８】
次に、Ｓ１０９〜Ｓ１１２のループＬ１（第１ループ）にて合波前のレベル補正処理（第１補正処理）を実行する。合波前のレベル補正処理では、まず、ノード１００は、光チャネルモニタＯＣＭにて波長グループ内の各サブキャリアの光レベルを検出する（Ｓ１０９）。
【００６９】
続いて、ノード１００は、Ｓ１０９において検出した各サブキャリアの光レベルと出力目標値との差分を演算し（Ｓ１１０）、差分に基づき各サブキャリアの光レベルが出力目標値となるようトランスポンダ１１１〜１１４内の可変光減衰器ＶＯＡを設定する（Ｓ１１１）。このとき、差分をトランスポンダに通知してもよい。例えば、ノード制御部１０２のレベル補正部１０２ｂは、光チャネルモニタＯＣＭがモニタした波長グループ内の各サブキャリアの光レベルと出力目標値との差分を演算し、差分を該当するトランスポンダ１１１〜１１４（及び合波器１２１）に通知する。トランスポンダ１１１〜１１４（もしくはレベル補正部１０２ｂ）は、通知された差分に基づき各サブキャリアの光レベルが出力目標値となるようトランスポンダ１１１〜１１４内の可変光減衰器ＶＯＡ１（及び合波器１２１の可変光減衰器ＶＯＡ２）の減衰量を設定する。
【００７０】
続いて、ノード１００は、波長グループ内の全てのサブキャリアの光レベルが目標値に到達したかどうか判定する（Ｓ１１２）。例えば、ノード制御部１０２のレベル補正部１０２ｂは、光チャネルモニタＯＣＭがモニタした各波長グループ内のサブキャリアの光レベルが目標値に到達したか（もしくは目標範囲に含まれる）否か判定し、目標値に到達した場合、Ｓ１０９以降のループＬ１（合波前のレベル補正処理）を終了し、目標値に到達していない場合、ループＬ１を繰り返す。例えば、波長グループ信号Ｓ２＿１内のサブキャリア信号Ｓ１＿１及びＳ１＿２が目標値となり、かつ、波長グループ信号Ｓ２＿２内のサブキャリア信号Ｓ１＿３及びＳ１＿４が目標値となるまで（図１３の例では波長ｆ３、ｆ４の各波長グループ内のサブキャリア信号が目標値となるまで）、レベル補正を行う。
【００７１】
次に、Ｓ１１３〜Ｓ１１６のループＬ２（第２ループ）にて合波後のレベル補正処理（第２補正処理）を実行する。合波後のレベル補正処理では、まず、ノード１００は、第１のループが終了すると、光チャネルモニタＯＣＭにて全波長グループの各サブキャリアの光レベルを検出する（Ｓ１１３）。
【００７２】
続いて、ノード１００は、Ｓ１１３において検出した波長グループ内の各サブキャリアの光レベルと出力目標値との差分を演算し（Ｓ１１４）、差分に基づき各サブキャリアの光レベルが出力目標値となるよう光クロスコネクト１３０（波長選択スイッチ１３１）内の可変光減衰器ＶＯＡを設定する（Ｓ１１５）。このとき、差分を光クロスコネクトに通知してもよい。例えば、ノード制御部１０２のレベル補正部１０２ｂは、光チャネルモニタＯＣＭがモニタした全波長グループ内の各サブキャリアの光レベルと出力目標値との差分を演算し、差分を光クロスコネクト１３０に通知する。光クロスコネクト１３０（もしくはレベル補正部１０２ｂ）は、通知された差分に基づき各サブキャリアの光レベルが出力目標値となるよう光クロスコネクト１３０（波長選択スイッチ１３１）内の該当する波長グループ内のサブキャリアの可変光減衰器ＶＯＡ３の減衰量を設定する。例えば、波長グループ信号Ｓ２＿１内のサブキャリア信号Ｓ１＿１及びＳ１＿２、波長グループ信号Ｓ２＿２内のサブキャリア信号Ｓ１＿３及びＳ１＿４、他のノードから受信した波長グループ信号内のサブキャリア信号（ＳＣＨ信号Ｓ４）が目標値となるよう（図１３の例では波長ｆ３、ｆ４、ｆ１の各波長グループ内のサブキャリア信号が目標値となるまで）レベル補正を行う。
【００７３】
続いて、ノード１００は、任意のサブキャリアの光レベル断を検出したかどうか判定する（Ｓ１１６）。例えば、ノード制御部１０２のレベル補正部１０２ｂは、光チャネルモニタＯＣＭのモニタ結果によりサブキャリアの光レベル断（光レベルが所定値よりも低い）かどうか判定し、光レベル断を検出しない場合、Ｓ１１３以降のループＬ２（合波後のレベル補正処理）を繰り返し、光レベル断を検出した場合、ループＬ２を終了し、Ｓ１０８に戻り、合波前のレベル補正を再開する。このとき、警報部１０２ｃは、サブキャリアの光レベル断をネットワーク監視装置２００へ通知する。
【００７４】
図１５は、図１４Ａ〜図１４Ｃに示した本実施の形態に係るレベル補正方法の状態遷移を示している。まず、状態ＳＴ１は、初期状態であり、スイッチ未接続、可変光減衰器出力がＯＦＦの状態である。状態ＳＴ１において初期設定（Ｓ１０１〜Ｓ１０５）を行うと、状態ＳＴ２に遷移する。
【００７５】
状態ＳＴ２では、光スイッチ／光減衰器を初期設定し（Ｓ１０６〜Ｓ１０８）、状態ＳＴ２において初期設定が完了すると、状態ＳＴ３に遷移する。状態ＳＴ３では、ループＬ１処理（合波前のレベル補正処理）を実行し、出力目標値に到達するまでＳ１０９〜Ｓ１１２を繰り返す。状態ＳＴ３において出力目標値に到達すると、状態ＳＴ４に遷移する。状態ＳＴ４では、ループＬ２処理（合波後のレベル補正処理）を実行し、出力目標値を維持するようＳ１１３〜Ｓ１１６を繰り返す。
【００７６】
状態ＳＴ３において出力目標値に到達せずにタイムアウトになると、状態ＳＴ５に遷移する。状態ＳＴ５は、目標値未到達警報が発出される。状態ＳＴ５において、目標値未到達警報の発出が完了すると、状態ＳＴ４に遷移する。すなわち、初期設定した後、合波前のレベル補正処理が完了する（サブキャリアが目標レベルに達する）前に一定期間経過した場合、警報部１０２ｃから警報を出力し、合波後のレベル補正処理を開始する。
【００７７】
また、状態ＳＴ４において、（故障などにより）光レベル断を検出すると、状態ＳＴ２へ戻る。すなわち、合波後のレベル補正処理が完了（または処理中）に、サブキャリアに障害は発生した場合、警報部１０２ｃから警報を出力し、合波前のレベル補正処理を再開する。さらに、状態ＳＴ４において、パスが削除されると、状態ＳＴ１へ戻る。すなわち、合波後のレベル補正処理が完了（または処理中）に、ネットワーク監視装置２００からの指示等によりパスが削除された場合、合波前のレベル補正処理を再開する。
【００７８】
以上のように、本実施の形態では、実施の形態１と同様に、ノードの出力部で波長グループ信号（サブキャリア信号）の光レベルをモニタし、モニタ結果に基づいてレベル補正を行う。まず、合波前のレベル補正では、波長グループ内のサブキャリア信号が一定レベルとなるようにトランスポンダや合波器における光レベルを制御する。さらに、合波後のレベル補正では、全波長グループ内のサブキャリア信号が一定レベルとなるように光クロスコネクト（波長選択スイッチ）における光レベルを制御する。これにより、波長グループ間のレベル偏差補正と、波長グループ内のサブキャリア間のレベル偏差補正を精度よく行うことができるため、伝送特性を向上することができる。
【００７９】
なお、本発明は上記実施の形態に限られたものではなく、趣旨を逸脱しない範囲で適宜変更することが可能である。
【００８０】
上述の実施形態における各構成（光伝送装置及びネットワーク監視装置）は、ハードウェア又はソフトウェア、もしくはその両方によって構成され、１つのハードウェア又はソフトウェアから構成してもよいし、複数のハードウェア又はソフトウェアから構成してもよい。無線装置の各機能（各処理）を、ＣＰＵやメモリ等を有するコンピュータにより実現してもよい。例えば、記憶装置に実施形態におけるレベル補正方法を行うためのプログラムを格納し、各機能を、記憶装置に格納されたプログラムをＣＰＵで実行することにより実現してもよい。
【００８１】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８２】
１      光伝送システム
２      ＷＤＭネットワーク
３      管理ネットワーク
１０    ノード
１１    合波部
１２    出力部
１３    合波前レベル補正部
１４    合波後レベル補正部
１００  ノード
１０１  光伝送部
１０２  ノード制御部
１０２ａ  初期設定部
１０２ｂ  レベル補正部
１０２ｃ  警報部
１１１〜１１４  トランスポンダ
１２１〜２３３  合波器
１３０  光クロスコネクト
１３１  波長選択スイッチ
１４１  光入力部
１４２  光出力部
２００  ネットワーク監視装置
２０１  グループ指定部
２０２  接続情報管理部
２０３  パス設定部
ＡＧ    合波器
ＡＭＰ１、ＡＭＰ２  光アンプ
ＣＡ    光増幅器
Ｆ１〜Ｆ８  光ファイバ
ＯＣＭ  光チャネルモニタ
ＯＬ    光伝送路
Ｓ０、Ｓ３、Ｓ４    ＳＣＨ信号
Ｓ１    サブキャリア信号
Ｓ２    波長グループ信号
ＴＰＮＤ  トランスポンダ
ＴＸ    レーザ
ＶＯＡ１〜ＶＯＡ３  可変光減衰器
ＷＳＳ  波長選択スイッチ
ＸＦ    光クロスコネクト
【図１】
2020178376.tif 000003
【図２】
2020178376.tif 000004
【図３】
2020178376.tif 000005
【図４】
2020178376.tif 000006
【図５】
2020178376.tif 000007
【図６】
2020178376.tif 000008
【図７】
2020178376.tif 000009
【図８】
2020178376.tif 000010
【図９】
2020178376.tif 000011
【図１０】
2020178376.tif 000012
【図１１】
2020178376.tif 000013
【図１２】
2020178376.tif 000014
【図１３】
2020178376.tif 000015
【図１４Ａ】
2020178376.tif 000016
【図１４Ｂ】
2020178376.tif 000017
【図１４Ｃ】
2020178376.tif 000018
【図１５】
2020178376.tif 000019